(57)【特許請求の範囲】
【請求項１】
負荷の始動時の電流ピークを減少させるためのソフト始動器（５）が電磁接触器（１）上に取付けられ、電磁接触器（１）が電磁接触器の構造横幅（ｂ１）を有し、ソフト始動器（５）がソフト始動器の構造横幅（ｂ２）を有し、電磁接触器（１）の構造横幅（ｂ１）がソフト始動器（５）の構造横幅（ｂ２）と少なくとも同じ大きさであることを特徴とする電磁接触器とソフト始動器との複合機器。
【請求項２】
電磁接触器（１）が取付け面（２）およびこの取付け面（２）とは反対側に位置する操作面（３）を有し、電磁接触器（１）の取付け面（２）が保持要素（４）に固定可能であり、ソフト始動器（５）が電磁接触器（１）の操作面（３）に配置されていることを特徴とする請求項１記載の複合機器。
【請求項３】
電磁接触器（１）およびソフト始動器（５）が互いに協働する掛止要素（６，７）を有し、この掛止要素（６，７）によってソフト始動器（５）が電磁接触器（１）に保持されることを特徴とする請求項１又は２記載の複合機器。
【請求項４】
電磁接触器（１）およびソフト始動器（５）が互いに協働する鎖錠要素（８，９）を有し、この鎖錠要素（８，９）の操作によってソフト始動器（５）が電磁接触器（１）から取外し可能であることを特徴とする請求項１乃至３の１つに記載の複合機器。
【請求項５】
電磁接触器（１）およびソフト始動器（５）が互いに協働する給電接触要素（１０，１１）を有し、この給電接触要素（１０，１１）によってソフト始動器（５）が電磁接触器（１）を介して電気エネルギーを供給されることを特徴とする請求項１乃至４の１つに記載の複合機器。
【請求項６】
電磁接触器（１）およびソフト始動器（５）が互いに協働する負荷接触要素を有し、この負荷接触要素を介して電磁接触器（１）からソフト始動器（５）に負荷電流が流れることを特徴とする請求項１乃至５の１つに記載の複合機器。
【請求項７】
電磁接触器（１）が三相交流電源（Ｎ）を三相交流負荷（Ｌ）に接続し、ソフト始動器（５）が単相ソフト始動器（５）として形成され、この単相ソフト始動器（５）が三相交流電源（Ｎ）の１つの相のみから影響を受け、影響を与える相はソフト始動器（５）を介して三相交流負荷（Ｌ）に接続され、他の２つの相は直接電磁接触器（１）を介して三相交流負荷（Ｌ）に接続されていることを特徴とする請求項１乃至５の１つに記載の複合機器。
【請求項８】
電磁接触器（１）が電磁接触器の構造縦幅（ｈ１）を有し、ソフト始動器（５）がソフト始動器の構造縦幅（ｈ２）を有し、電磁接触器（１）の構造縦幅（ｈ１）がソフト始動器（５）の構造横幅（ｈ２）より大きいことを特徴とする請求項１乃至７の１つに記載の複合機器。
【発明の詳細な説明】
【０００１】
本発明は電磁接触器とソフト始動器との複合機器に関する。
【０００２】
電気的駆動技術においてはモータおよび機械的駆動要素（例えば歯車伝導装置、Ｖベルト）を保護するためにしばしば電磁接触器の他に電子式ソフト始動器が使用される。このソフト始動器を使用すると、その他の利点として、三相交流モータの始動時の電流ピークが減少する。
【０００３】
公知のソフト始動器は開閉装置内に個別に取付けられた独立形機器である。モータ分岐回路に至る他の開閉機器（電磁接触器、遮断器、過負荷継電器）との接続は電気導線を介して行なわれる。
【０００４】
ユーザにとっての重要なコスト基準はモータ分岐回路の開閉機器が開閉装置内で必要とするスペースである。この場合、決定的な基準は幅である。
【０００５】
本発明の課題は、モータ分岐回路の開閉機器を最少のスペースにて開閉装置内に配置することにある。
【０００６】
この課題は本発明によればソフト始動器が電磁接触器上に取付けられていることによって解決される。
【０００７】
これによって、ソフト始動器と電磁接触器とから成る１つの構造ユニットが構成され、この構造ユニットは電磁接触器の幅だけを必要とする。
【０００８】
電磁接触器上へのソフト始動器の取付けは、例えば、電磁接触器が取付け面およびこの取付け面とは反対側に位置する操作面を有し、電磁接触器の取付け面が保持要素に固定可能であり、ソフト始動器が電磁接触器の操作面に配置されることによって行なわれる。
【０００９】
電磁接触器およびソフト始動器が互いに協働する掛止要素を有し、この掛止要素によってソフト始動器が電磁接触器に保持される場合、電磁接触器へのソフト始動器の結合が特に簡単になる。
【００１０】
電磁接触器およびソフト始動器が互いに協働する鎖錠要素を有し、この鎖錠要素の操作によってソフト始動器が電磁接触器から取外し可能である場合、ソフト始動器は簡単に再び電磁接触器から取外すことができる。
【００１１】
電磁接触器およびソフト始動器が互いに協働する給電接触要素を有し、この給電接触要素によってソフト始動器が電磁接触器を介して電気エネルギーを供給される場合、ソフト始動器への電流供給のために固有の導線を敷設する必要がない。
【００１２】
電磁接触器およびソフト始動器が互いに協働する負荷接触要素を有し、この負荷接触要素によって電磁接触器からソフト始動器に至る少なくとも１つの負荷電流導線が形成されている場合、電磁接触器とソフト始動器との間の負荷導線の固有の敷設は省略できる。
【００１３】
電磁接触器が三相交流電源を三相交流負荷に接続し、ソフト始動器が単相ソフト始動器として形成され、この単相ソフト始動器が三相交流電源の１つの相のみから影響を受け、影響を与える相はソフト始動器を介して三相交流負荷に接続され、他の２つの相は直接電磁接触器を介して三相交流負荷に接続されている場合、負荷導線を別々に敷設する際に配線費用が最少になる。
【００１４】
電磁接触器が電磁接触器の構造横幅を有し、ソフト始動器がソフト始動器の構造横幅を有し、電磁接触器の構造横幅がソフト始動器の構造横幅と少なくとも同じ大きさである場合、ソフト始動器が電磁接触器を超えて横方向へ突出することがない。
【００１５】
電磁接触器が電磁接触器の構造縦幅を有し、ソフト始動器がソフト始動器の構造縦幅を有し、電磁接触器の構造縦幅がソフト始動器の構造横幅より大きい場合、電磁接触器にソフト始動器を取付けた際にも電磁接触器への導線の簡単な接続が可能になる。
【００１６】
その他の利点および詳細は実施例の以下の説明から明らかになる。
図１は保持要素に固定された電磁接触器、
図２はソフト始動器、
図３は電磁接触器とソフト始動器との複合機器、
図４はモータ分岐回路のブロック回路図を示す。
【００１７】
図１によれば、電磁接触器１は取付け面２および操作面３を有している。操作面３は取付け面２とは反対側に位置している。取付け面２によって、電磁接触器を保持要素４（この場合には支持レール４）に固定可能である。電磁接触器１は電磁接触器の構造横幅ｂ１および電磁接触器の構造縦幅ｈ１を有している。
【００１８】
図２によれば、ソフト始動器５はソフト始動器の構造横幅ｂ２およびソフト始動器の構造縦幅ｈ２を有している。
【００１９】
図１および図２によれば、電磁接触器１およびソフト始動器５は互いに協働する掛止要素６，７を有している。掛止要素６，７によって、ソフト始動器５が電磁接触器１に取付けられた状態で保持される。電磁接触器１およびソフト始動器５はさらに互いに協働する鎖錠要素８，９を有している。引っ掛けおよび自動鎖錠によって、ソフト始動器５は工具を使用することなく電磁接触器１の操作面３に取付け可能である。ソフト始動器側の鎖錠要素９の操作（例えば指またはドライバの刃による操作）によって、ソフト始動器５は再び電磁接触器１から取外すことができる。
【００２０】
図３には、電磁接触器１とソフト始動器５との複合機器が示されている。この複合機器においては、ソフト始動器５が電磁接触器１上に取付けられている。図３によれば、ソフト始動器５は電磁接触器１の操作面３に配置されている。電磁接触器の構造縦幅ｈ１はソフト始動器の構造縦幅ｈ２より大きいことが分かる。さらに、電磁接触器の構造横幅ｂ１はソフト始動器の構造横幅ｂ２と少なくとも同じ大きさであることが分かる。
【００２１】
電磁接触器１およびソフト始動器５は図1および図２によれば互いに協働する給電接触要素１０，１１を有している。給電接触要素１０，１１によって、ソフト始動器５は電磁接触器１を介して電気エネルギーを供給される。
【００２２】
図４によれば、電磁接触器１が三相交流電源Ｎを三相交流負荷Ｌに接続している。ソフト始動器５は単相ソフト始動器５として形成されている。それゆえ、ソフト始動器５は三相交流電源Ｎの１つの相のみから影響を受ける。図４によれば、影響を与える相はソフト始動器５を介して三相交流負荷Ｌに接続されている。他の２つの相は直接電磁接触器１を介して三相交流負荷Ｌに接続されている。これによって、従来技術よりも少ない導線が敷設される。
【００２３】
図４によれば、影響を与える相は接続導線１２を介して電磁接触器１からソフト始動器５へ導かれている。この接続導線１２は、同様に、電磁接触器１およびソフト始動器５が互いに協働する負荷接触要素を有し、この負荷接触要素によって電磁接触器１からソフト始動器５に至る、影響を与える相の負荷電流導線が形成される場合には、必要に応じて省略できる。影響を与える相が複数存在する際、この場合には当然のことながら各影響を与える相のために互いに協働する負荷接触要素が設けられる。
【図面の簡単な説明】
【図１】  保持要素に固定された電磁接触器の概略斜視図
【図２】  ソフト始動器の概略斜視図
【図３】  電磁接触器とソフト始動器との複合機器の概略斜視図
【図４】  モータ分岐回路のブロック回路図
【符号の説明】
１        電磁接触器
２        取付け面
３        操作面
４        保持要素
５        ソフト始動器
６，７    掛止要素
８，９    鎖錠要素
１０，１１  給電接触要素
１２        接続導線
【図１】
0004436584.tif 000002
【図２】
0004436584.tif 000003
【図３】
0004436584.tif 000004
【図４】
0004436584.tif 000005